(57)【要約】  この発明のＸ線管装置では、平板フィラメント（１１）は、全灯通電加熱用脚部（１２，１３）と半灯通電加熱用脚部（１４，１５）とを備え、全灯通電加熱用脚部（１２，１３）には電源（２５）および可変抵抗器（２７）が電気的に接続され、半灯通電加熱用脚部（１４，１５）には電源（２６）および可変抵抗器（２８）が電気的に接続されている。全灯通電加熱用脚部（１２，１３）から通電することで電子線出射面の全面の領域を通電加熱し、半灯通電加熱用脚部（１４，１５）から通電することで電子線出射面の全面よりも狭い領域を通電加熱する。さらに、可変抵抗器（２７，２８）が、通電する電流値を調整することで電子の放出範囲を自在に調整することができ、全体を加熱した場合と部分的に加熱した場合とのそれぞれの焦点の間での任意の大きさの焦点を得ることができる。
2015004732.tif 000002
【特許請求の範囲】
【請求項１】
Ｘ線を発生するＸ線管装置であって、  複数の通電経路を有するフィラメントと、  前記複数の通電経路に流れる各電流の少なくとも１つの電流値を調整することで前記フィラメントの電子の放出範囲を調整する調整部と  を備える、Ｘ線管装置。
【請求項２】
請求項１に記載のＸ線管装置において、  前記フィラメントが、第１〜第４の通電加熱用の脚部と、  前記第１の脚部および前記第２の脚部に電気的に接続された外側電子出射面と、  前記第３の脚部、前記第４の脚部および前記外側電子出射面に電気的に接続された内側電子出射面とを含み、  前記調整部が、前記外側電子出射面に、前記第１の脚部と前記第２の脚部との間に流れる電流を流し、前記内側電子出射面に、前記第１の脚部と前記第２の脚部との間に流れる電流と、前記第３の脚部と前記第４の脚部との間に流れる電流とを流し、前記第１の脚部と前記第２の脚部との間に流れる電流の電流値と、前記第３の脚部と前記第４の脚部との間に流れる電流の電流値との少なくとも１つを調整する、Ｘ線管装置。
【請求項３】
請求項２に記載のＸ線管装置において、  前記内側電子出射面には、前記第１の脚部と前記第２の脚部との間に流れる電流と、前記第３の脚部と前記第４の脚部との間に流れる電流とが同一方向に流れる、Ｘ線管装置。
【請求項４】
複数の通電経路を有したフィラメントにおける電子の放出範囲を調整する調整方法であって、  前記複数の通電経路に流れる各電流の少なくとも１つの電流値を調整することで前記フィラメントの電子の放出範囲を調整する調整ステップを含む、フィラメントの調整方法。
【請求項５】
請求項４に記載のフィラメントの調整方法において、  前記フィラメントが、第１〜第４の通電加熱用の脚部と、  前記第１の脚部および前記第２の脚部に電気的に接続された外側電子出射面と、  前記第３の脚部、前記第４の脚部および前記外側電子出射面に電気的に接続された内側電子出射面とを含み、  前記調整ステップが、前記外側電子出射面に、前記第１の脚部と前記第２の脚部との間に流れる電流を流し、前記内側電子出射面に、前記第１の脚部と前記第２の脚部との間に流れる電流と、前記第３の脚部と前記第４の脚部との間に流れる電流とを流し、前記第１の脚部と前記第２の脚部との間に流れる電流の電流値と、前記第３の脚部と前記第４の脚部との間に流れる電流の電流値との少なくとも１つを調整する、  フィラメントの調整方法。
【発明の詳細な説明】
【技術分野】
【０００１】  この発明は、Ｘ線管装置およびフィラメントの調整方法に係り、特に、複数の通電経路を有したフィラメントにおける電子の放出範囲を調整する技術に関する。
【背景技術】
【０００２】  通電するための複数の通電経路を有したフィラメントとして、４本の通電加熱用の脚部を備えた平板フィラメント（「平板エミッタ」とも呼ばれる）を例に採って説明する。従来の平板フィラメントの構造について、図６および図７を参照して説明する。図６および図７は、従来の平板フィラメントの概略平面図である。図６は、長方形の形状を有した平板フィラメントであり、図７は、円形の形状を有した平板フィラメントである。【０００３】  図６や図７に示すように、電子線出射面１０１（図６では長方形の形状を有した電子線出射面１０１、図７では円形の形状を有した電子線出射面１０１）の付け根に４本の通電加熱用の脚部１０２〜１０５を有している。通常は、脚部１０２〜１０５を図中の破線箇所で９０°に折り曲げて、脚部１０２〜１０５からそれぞれ通電することで、電子線出射面１０１を加熱し、電子線出射面１０１から熱電子を放出させる。電子線出射面１０１から放出した熱電子が、陽極のターゲット（図示省略）に衝突することで、Ｘ線を発生する。【０００４】  脚部１０２〜１０５のうち、脚部１０２，１０３（図中では「Ａ」，「Ｂ」で表記）は、電子線出射面１０１の全面の領域を通電加熱して電子線を出射する大焦点用の全灯に用いられる全灯通電加熱用脚部１０２，１０３である。一方、脚部１０２〜１０５のうち、脚部１０４，１０５（図中では「Ｃ」，「Ｄ」で表記）は、電子線出射面１０１の全面よりも狭い領域（図中の右上斜線のハッチングで示された領域を参照）のみを通電加熱して電子線を出射する小焦点用の半灯に用いられる半灯通電加熱用脚部１０４，１０５である。【０００５】  すなわち、電子線出射面１０１の全面の領域を加熱する場合には、全灯通電加熱用脚部１０２，１０３（Ａ，Ｂ）から通電して全面を加熱する。一方、部分的に点灯して電子の放出範囲を制限して、焦点を小さくする場合には、半灯通電加熱用脚部１０４，１０５（Ｃ，Ｄ）から通電して、図中の右上斜線のハッチングで示された領域のみを点灯させて加熱する。全灯の場合には通電経路はＡ→Ａの付け根→Ｄの付け根→Ｃの付け根→Ｂの付け根→Ｂとなり、半灯の場合には通電経路はＤ→Ｄの付け根→Ｃの付け根→Ｃとなる。このようにして、通電経路を変えることで平板フィラメントの点灯範囲を調整する（例えば、特許文献１参照）。
【先行技術文献】
【特許文献】
【０００６】
【特許文献１】特開２０１２−１５０４５号公報
【発明の概要】
【発明が解決しようとする課題】
【０００７】  しかしながら、４本の通電加熱用の脚部を備えた平板フィラメント（平板エミッタ）では、全面の領域を加熱する場合および部分的に点灯する場合の２通りだけとなり、焦点寸法が２通りだけの切替となる。また、フィラメントが複数の通電経路を有するのであれば、４本以外の本数の通電加熱用の脚部を備えてもよい。したがって、切替の対象となる焦点寸法の種類を多くするのであれば、４本以上の本数の通電加熱用の脚部を備えればよいが、構造が複雑化してしまう。【０００８】  この発明は、このような事情に鑑みてなされたものであって、任意の大きさの焦点を得ることができるＸ線管装置およびフィラメントの調整方法を提供することを目的とする。
【課題を解決するための手段】
【０００９】  Ｘ線管装置は、複数の通電経路を有するフィラメントと、前記複数の通電経路に流れる各電流の少なくとも１つの電流値を調整することで前記フィラメントの電子の放出範囲を調整する調整部とを備える。【００１０】  複数の通電経路に流れる各電流の少なくとも１つの電流値を調整することで、フィラメントの一部分の領域の温度、他の領域の温度を適切に設定する。当該電流値と電子の放出範囲とは非線形の関係であるので、電流値を調整することで、フィラメントの電子の放出範囲を自在に調整することができ、全体を加熱した場合と部分的に加熱した場合とのそれぞれの焦点の間での任意の大きさの焦点を得ることができる。【００１１】  前記フィラメントは、第１〜第４の通電加熱用の脚部と、前記第１の脚部および前記第２の脚部に電気的に接続された外側電子出射面と、前記第３の脚部、前記第４の脚部および前記外側電子出射面に電気的に接続された内側電子出射面とを含む。前記調整部は、前記外側電子出射面に、前記第１の脚部と前記第２の脚部との間に流れる電流を流し、前記内側電子出射面に、前記第１の脚部と前記第２の脚部との間に流れる電流と、前記第３の脚部と前記第４の脚部との間に流れる電流とを流し、前記第１の脚部と前記第２の脚部との間に流れる電流の電流値と、前記第３の脚部と前記第４の脚部との間に流れる電流の電流値との少なくとも１つを調整する。【００１２】  前記内側電子出射面には、前記第１の脚部と前記第２の脚部との間に流れる電流と、前記第３の脚部と前記第４の脚部との間に流れる電流とが同一方向に流れる。【００１３】  複数の通電経路に流れる各電流の電流値を同期させて調整するのが好ましい。もちろん、必ずしも各電流の電流値を同期させる必要はなく、個々に電流値を調整してもよい。
【発明の効果】
【００１４】  この発明に係るＸ線管装置およびフィラメントの調整方法によれば、複数の通電経路に流れる各電流の少なくとも１つの電流値を調整することでフィラメントの電子の放出範囲を自在に調整することができ、全体を加熱した場合と部分的に加熱した場合とのそれぞれの焦点の間での任意の大きさの焦点を得ることができる。
【図面の簡単な説明】
【００１５】
【図１】実施例に係るＸ線装置のブロック図である。
【図２】実施例に係るＸ線管装置の概略図である。
【図３】実施例に係る平板フィラメントの概略平面図および周辺の回路図である。
【図４】図３とは別の形状を有する実施例に係る平板フィラメントの概略平面図および周辺の回路図である。
【図５】全灯通電加熱用脚部・半灯通電加熱用脚部に流れる電流値の組み合わせと、電子の放出範囲との対応関係を表したテーブルである。
【図６】従来の平板フィラメントの概略平面図である。
【図７】図６とは別の形状を有する従来の平板フィラメントの概略平面図である。
【実施例】
【００１６】  発明者は、上記の問題を解決するために鋭意研究した結果、次のような知見を得た。【００１７】  すなわち、通電経路を増やすという発想を変えて、通電経路を制御するパラメータについて着目してみた。そこで、通電経路を制御するパラメータのうち、フィラメントの温度について着目してみた。フィラメントの温度は通電加熱する領域において実際には均一ではなく温度勾配があることが判明した。また、フィラメントにおける不均一な温度分布に応じて電子の放出範囲が決定されることも判明した。【００１８】  一方、これまで、通電する電流値の設定はＯＮかＯＦＦの切替により行われており、ＯＮにおける最大電流値かＯＦＦにおける０［Ａ］しか設定されていなかった。フィラメントにおいて温度勾配が発生しているのを鑑みれば、通電する電流値と電子の放出範囲とは非線形の関係であることが考えられる。そこで、通電する電流値と電子の放出範囲とが非線形の関係であることを逆に利用して、通電する電流値を微調整すれば、電子の放出範囲を微調整することができ、ひいては任意の大きさの焦点を得ることができるという知見を得た。【００１９】  以下、図面を参照してこの発明の実施例を説明する。図１は、実施例に係るＸ線装置のブロック図であり、図２は、実施例に係るＸ線管装置の概略図であり、図３および図４は、実施例に係る平板フィラメントの概略平面図および周辺の回路図である。本実施例では、平板フィラメントがＸ線管装置に用いられる場合を例に採って説明するとともに、Ｘ線透視装置やＸ線撮影装置などのＸ線装置にＸ線管装置が組み込まれる場合を例に採って説明する。【００２０】  本実施例に係るＸ線装置は、図１に示すように、被検体Ｍを載置する天板１と、その被検体Ｍに向けてＸ線を照射するＸ線管装置２と、被検体Ｍを透過したＸ線を検出するフラットパネル型Ｘ線検出器（ＦＰＤ）３とを備えている。なお、Ｘ線検出器については、上述したＦＰＤ以外にも、イメージインテンシファイアなどに例示されるように特に限定されない。Ｘ線管装置２は、この発明におけるＸ線管装置に相当する。【００２１】  Ｘ線管装置２は、外囲器２１および外囲器２１に収容される陰極２２や陽極２４を備えている。主として陰極２２は平板フィラメント１１および集束電極２３で構成されている。本実施例に係る平板フィラメントの具体的な構成については、図３や図４で後述する。なお、Ｘ線管装置２については、図２に示すような電子線Ｂの光軸に対して直交方向からＸ線を取り出すタイプに限定されず、電子線Ｂの光軸に沿って平行にＸ線を透過させたタイプであってもよい。【００２２】  その他に、外囲器２１周辺において、Ｘ線管装置２は、図２に示すように、電源２５，２６（図３や図４も参照）と可変抵抗器２７，２８（図３や図４も参照）を備えている。電源２５，２６については、特に限定されない。交流電源であってもよいし、直流電源であってもよい。可変抵抗器２７，２８は、この発明における調整部に相当する。【００２３】  図１の説明に戻って、Ｘ線装置は、画像処理部４と高電圧発生部５とを備えている。その他にもモニタや記憶媒体や入力部（いずれも図示省略）などの構成を備えているが、これらの構成については、特��部分あるいは特徴部分に関連した構成でないので、その説明については省略する。【００２４】  Ｘ線管装置２はＸ線を発生し、天板１に載置された被検体Ｍに向けてＸ線を照射する。ＦＰＤ３は、Ｘ線管装置２から発生し被検体Ｍを透過したＸ線を検出する。ＦＰＤ３は、画素に対応したＸ線検出素子（図示省略）が２次元マトリックス状に配置されて構成されている。画像処理部４は、ＦＰＤ３で検出されたＸ線に基づく画像処理を行ってＸ線画像を取得する。具体的には、Ｘ線検出素子で検出されたＸ線に基づく画素値を各々の画素に対応付けて並べることでＸ線画像を出力する。このときに、画像処理部４は様々な画像処理をＸ線画像に対して施す。【００２５】  撮影を行う場合には、通常の線量でＸ線管装置２から被検体ＭにＸ線を１回照射して、画像処理部４にて取得されたＸ線画像を出力する。透視を行う場合には、撮影のときよりも少ない線量でＸ線管装置２から被検体ＭにＸ線を連続的に照射し、画像処理部４にてそれぞれ取得された各々のＸ線画像をモニタ（図示省略）に連続的に出力する。また、断層撮影を行う場合には、Ｘ線管装置２やＦＰＤ３、被検体Ｍの少なくともいずれか一方を移動させて、Ｘ線管装置２やＦＰＤ３を被検体Ｍに対して相対的に移動させながら、Ｘ線管装置２から被検体ＭにＸ線を連続的に照射し、画像処理部４にてそれぞれ取得された各々のＸ線画像に対して再構成処理を行い、断層画像を出力する。【００２６】  高電圧発生部５は、Ｘ線管装置２に管電圧や管電流を付与してＸ線を発生させるように制御する。本実施例では、高電圧発生部５は同期回路を備えており、複数（本実施例では２つ）の通電経路に流れる各電流の電流値を同期させて調整する。具体的には、高電圧発生部５は、可変抵抗器２７，２８（図２〜図４を参照）を同時に制御することで、互いに同期させて可変抵抗器２７を流れる電流値と可変抵抗器２８を流れる電流値とをそれぞれ調整する。なお、後述するように、一方の電流値を固定した状態で他方の電流値のみを可変にして調整してもよく、各電流の少なくとも１つの電流値を調整すればよい。【００２７】  図２に示すように、外囲器２１は、平板フィラメント１１や集束電極２３や陽極２４を収容する。電子線Ｂが陽極２４に衝突して発生したＸ線（図２では「Ｘｒａｙ」で表記）を透過させて外囲器２１の外部に引き出す窓（図示省略）が外囲器２１に設けられている。陰極２２は、図３あるいは図４に示すような平板フィラメント１１および集束電極２３（図２を参照）で主として構成されており、平板フィラメント１１の電子線出射面から出射する電子線Ｂを陽極２４上に集束させる。【００２８】  平板フィラメント１１は、図３あるいは図４に示すような構造である。図３は、長方形の形状を有した平板フィラメントであり、図４は、円形の形状を有した平板フィラメントである。電子線出射面（図３では長方形の形状を有した電子線出射面、図４では円形の形状を有した電子線出射面）の付け根に４本の通電加熱用の脚部１２〜１５を有している。脚部１２〜１５を図中の破線箇所で９０°に折り曲げて、脚部１２〜１５からそれぞれ通電することで、電子線出射面を加熱し、電子線出射面から熱電子を放出させる。電子線出射面��ら放出された熱電子（図２の電子線Ｂを参照）が、陽極２４に衝突することで、Ｘ線を発生する。【００２９】  脚部１２〜１５のうち、第１の脚部１２および第２の脚部１３（図中では「Ａ」，「Ｂ」で表記）は、電子線出射面の全面の領域を通電加熱して電子線Ｂを出射する大焦点用の全灯に用いられる全灯通電加熱用脚部１２，１３である。一方、脚部１２〜１５のうち、第３の脚部１４および第４の脚部１５（図中では「Ｃ」，「Ｄ」で表記）は、電子線出射面の全面よりも狭い領域（内側電子出射面）（図中の右上斜線のハッチングで示された領域を参照）のみを通電加熱して電子線Ｂを出射する小焦点用の半灯に用いられる半灯通電加熱用脚部１４，１５である。脚部１２、１３は外側電子出射面（右上斜線のハッチングで示された領域以外の領域）に電気的に接続され、脚部１４、１５および外側電子出射面は、内側電子出射面に電気的に接続されている。【００３０】  すなわち、電子線出射面の全面の領域を加熱する場合には、全灯通電加熱用脚部１２，１３（Ａ，Ｂ）を通電して全面を加熱する。一方、部分的に点灯して電子の放出範囲を制限して、焦点を小さくする場合には、半灯通電加熱用脚部１４，１５（Ｃ，Ｄ）を通電して、図中の右上斜線のハッチングで示された領域のみを点灯させて加熱する。全灯の場合には通電経路はＡ→Ａの付け根→Ｄの付け根→Ｃの付け根→Ｂの付け根→Ｂとなり、半灯の場合には通電経路はＤ→Ｄの付け根→Ｃの付け根→Ｃとなる。このようにして、通電経路を変えることで平板フィラメント１１の加熱範囲（点灯範囲）を調整する。【００３１】  本実施例の場合には、外側電子出射面に、第１の脚部１２と第２の脚部１３との間に流れる電流を流し、内側電子出射面に、第１の脚部１２と第２の脚部１３との間に流れる電流と、第３の脚部１４と前記第４の脚部１５との間に流れる電流とを同一方向に流し、第１の脚部１２と第２の脚部１３との間に流れる電流の電流値と、第３の脚部１４と第４の脚部１５との間に流れる電流の電流値とをそれぞれ調整することにより、電子の放出範囲を調整する。平板フィラメント１１の周辺に可変抵抗器２７，２８を備えており、可変抵抗器２７は電源２５に電気的に接続され、可変抵抗器２８は電源２６に電気的に接続されている。電源２５は、全灯通電加熱用脚部１２，１３（Ａ，Ｂ）の間を通電するための電源であり、電源２６は、半灯通電加熱用脚部１４，１５（Ｃ，Ｄ）の間を通電するための電源である。【００３２】  通電する電流値（通電電流）は、半灯通電加熱用脚部１４，１５（Ｃ，Ｄ）から通電した場合に９［Ａ］程度で十分な電子放出が得られる条件とする。この条件の場合には、全灯通電加熱用脚部１２（Ａ）から１３（Ｂ）に向けて９［Ａ］程度の電流を流し、半灯通電加熱用脚部１４，１５（Ｃ，Ｄ）において０［Ａ］に設定することで、電子線出射面１１の全面から電子放出し、最も大きい焦点サイズとなる。電子線出射面１１の全面に９Ａの電流が流れるからである。一方、全灯通電加熱用脚部１２（Ａ）から１３（Ｂ）に向けて６［Ａ］程度の電流を流し、半灯通電加熱用脚部１５（Ｄ）から１４（Ｃ）に向けて３［Ａ］程度の電流を流すことで、内側電子出射面（Ｄの付け根・Ｃの付け根間の領域）には十分な電子放出が得られる９［Ａ］が流れ、外側電子出射面（Ａの付け根・Ｄの付け根間の領域，Ｃの付け根・Ｂの付け根間の領域）には電子放出されない範囲の最高温度となる６Ａの電流が流れるので、その結果、最も小さい焦点サイズとなる。【００３３】  全灯通電加熱用脚部１２（Ａ）から１３（Ｂ）に向けて９［Ａ］〜６［Ａ］程度の電流を流し、半灯通電加熱用脚部１５（Ｄ）から１４（Ｃ）に向けて０［Ａ］〜３［Ａ］程度の電流を流せば、内側電子出射面（Ｄの付け根・Ｃの付け根間の領域）には十分な電子放出が得られる９［Ａ］が流れる。平板フィラメントにおいて温度勾配が発生しており、通電する電流値と電子の放出範囲とは非線形の関係であることが考えられる。【００３４】  全灯通電加熱用脚部１２（Ａ）から１３（Ｂ）に向けて６［Ａ］程度の電流を流し、半灯通電加熱用脚部１５（Ｄ）から１４（Ｃ）に向けて３［Ａ］程度の電流を流すことで、最も小さい焦点サイズとなる場合には、全灯通電加熱用脚部１２（Ａ）から１３（Ｂ）に向けて９［Ａ］〜６［Ａ］程度の電流を流し、半灯通電加熱用脚部１５（Ｄ）から１４（Ｃ）に向けて０［Ａ］〜３［Ａ］程度の電流を流せば、少なくとも内側電子出射面には電子の放出範囲が確保される。そして、上述の範囲内における各電流値に応じて内側電子出射面から外側電子出射面までの範囲で電子の放出範囲が微調整される。従って、焦点のサイズを、最も大きい焦点・最も小さい焦点の間の大きさに調整することができる。【００３５】  そのために、高電圧発生部５（図１を参照）は、可変抵抗器２７，２８を同時に制御することで、互いに同期させて可変抵抗器２７を流れる電流値を９［Ａ］〜６［Ａ］程度に設定し可変抵抗器２８を流れる電流値を０［Ａ］〜３［Ａ］程度に設定する。これによって、可変抵抗器２７は全灯通電加熱用脚部１２，１３（Ａ，Ｂ）に流れる電流を９［Ａ］〜６［Ａ］程度の電流値に調整し、この調整に同期して可変抵抗器２８は半灯通電加熱用脚部１４，１５（Ｃ，Ｄ）に流れる電流を０［Ａ］〜３［Ａ］程度の電流値に調整する。【００３６】  なお、透視や撮影前に予め図５に示すテーブルを作成するのが好ましい。図５は、全灯通電加熱用脚部・半灯通電加熱用脚部に流れる電流値の組み合わせと、電子の放出範囲との対応関係を表したテーブルである。例えば、最も大きい焦点が０．７５［ｍｍ］で、最も小さい焦点が０．５［ｍｍ］とする。透視や撮影前に、可変抵抗器２７，２８を制御し、可変抵抗器２７，２８を流れる電流値をそれぞれ設定し、そのときの放出範囲を測定して、電流値の組み合わせ（図５では「Ａ，Ｂの電流値」、「Ｃ，Ｄの電流値」と表記）と電子の放出範囲とを対応付けてテーブルを作成する。図５（ａ）は、各々の電流値を同期させた同期用のテーブルである。つまり、「Ａ，Ｂの電流値」、「Ｃ，Ｄの電流値」のそれぞれを変更する。図５（ｂ）は、一方の電流値を固定した状態で他方の電流値のみを可変にしたときのテーブルである。【００３７】  図５に示すテーブルを作成したら、透視や撮影時に高電圧発生部（図１を参照）はテーブルを参照して目的に応じた電子の放出範囲に対応する電流値をそれぞれ読み出す。読み出された電流値に設定される��うに可変抵抗器２７，２８を制御することで、可変抵抗器２７，２８に流れる各電流の少なくとも１つの電流値を調整する。【００３８】  本実施例によれば、複数（本実施例では２つ）の通電経路に流れる各電流の少なくとも１つの電流値を調整することで、フィラメント（本実施例では平板フィラメント１１）の一部分の領域の温度、他の領域の温度を適切に設定する。当該電流値と電子の放出範囲とは非線形の関係であるので、電流値を調整することで、フィラメント（平板フィラメント１１）の電子の放出範囲を自在に調整することができ、全体を加熱した場合と部分的に加熱した場合とのそれぞれの焦点の間での任意の大きさの焦点を得ることができる。【００３９】  本実施例に係るフィラメントの調整方法において、例えば図５（ａ）のテーブルを参照して複数（２つ）の通電経路に流れる各電流の電流値を同期させて調整するのが好ましい。もちろん、必ずしも各電流の電流値を同期させる必要はなく、例えば図５（ｂ）のテーブルを参照して個々に電流値を調整してもよい。【００４０】  この発明は、上記実施形態に限られることはなく、下記のように変形実施することができる。【００４１】  （１）フィラメントを用いたＸ線管装置の具体的な構成については特に限定されない。例えば、陽極がそれを収容する外囲器と一体となって回転する外囲器回転型医用Ｘ線管や、それ以外の医用Ｘ線管や、工業用の大焦点Ｘ線管に適用することができる。【００４２】  （２）上述した実施例では、Ｘ線管装置に適用したが、Ｘ線を発生せずに電子線を出射する電子源に適用してもよい。【００４３】  （３）Ｘ線装置については、被検体を診断する医用Ｘ線装置であってもよいし、非破壊検査装置に用いられる工業用Ｘ線装置であってもよい。【００４４】  （４）上述した実施例では、フィラメント（実施例では平板フィラメント）がＸ線管装置に用いられる場合を例に採って説明するとともに、Ｘ線透視装置やＸ線撮影装置などのＸ線装置にＸ線管装置が組み込まれる場合を例に採って説明したが、Ｘ線管装置単体、フィラメント単体を調整する場合も同様である。【００４５】  （５）上述した実施例では、平板フィラメントを例に採って説明したが、必ずしも電子線出射面が平板状である必要はない。ただし、平板状の電子線出射面を有した平板フィラメントの方が、平板フィラメントを水平面に固定することができ、焦点を精度良く制御することができる。【００４６】  （６）上述した実施例では、フィラメント（実施例では平板フィラメント）において２つの通電経路を有していたが、複数であれば３つ以上であってもよい。例えば、特許文献１：特開２０１２−１５０４５号公報の図４に示すように３つの通電経路を有するフィラメントに適用してもよい。つまり、少なくとも２つの通電経路からなり、フィラメントは、少なくとも第１〜第４の通電加熱用の脚部と、第１の脚部および第２の脚部に電気的に接続された外側電子出射面と、第３の脚部、第４の脚部および外側電子出射面に電気的に接続された内側電子出射面とを含み、調整部が、外側電子出射面に、第１の脚部と第２の脚部との間に流れる電流を流し、内側電子出射面に、第１の脚部と第２の脚部との間に流れる電流と、第３の脚部と��４の脚部との間に流れる電流とを流し、第１の脚部と第２の脚部との間に流れる電流の電流値と、第３の脚部と第４の脚部との間に流れる電流の電流値との少なくとも１つを調整するように構成すればよい。【００４７】  （７）上述した実施例では、調整部は可変抵抗器２７，２８であったが、電流値を調整する構成であれば、可変抵抗器に限定されない。例えばキャパシタンス（静電容量）やリアクタンス等を調整部に採用してもよい。その他にも、変圧器（トランス）の一次側電流を調整して平板フィラメント１１に通電する二次電流を調整してもよい。【００４８】  （８）上述した実施例では、同期させる構成は高電圧発生部５（が有する同期回路）であったが、各々の電流値を同期させて調整する構成であれば、高電圧発生部５に限定されない。また、トリガに応じて同期させてもよい。
【産業上の利用可能性】
【００４９】  以上のように、この発明は、Ｘ線透視装置やＸ線撮影装置などのＸ線装置に適している。
【符号の説明】
【００５０】  ２  …  Ｘ線管装置  ３  …  フラットパネル型Ｘ線検出器（ＦＰＤ）  ４  …  画像処理部  ５  …  高電圧発生部  １１  …  平板フィラメント  ２２  …  陰極  ２７，２８  …  可変抵抗器
【図１】
2015004732.tif 000003
【図２】
2015004732.tif 000004
【図３】
2015004732.tif 000005
【図４】
2015004732.tif 000006
【図５】
2015004732.tif 000007
【図６】
2015004732.tif 000008
【図７】
2015004732.tif 000009
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
Ｘ線を発生するＸ線管装置であって、
複数の通電経路を有するフィラメントと、
前記複数の通電経路に流れる各電流の少なくとも１つの電流値を、前記フィラメントの電子の放出範囲が最大となる電流値と、前記フィラメントの電子の放出範囲が最小となる電流値とを含む範囲内の任意の電流値に調整することで、前記フィラメントの電子の放出範囲を、前記最大の放出範囲と前記最小の放出範囲とを含む範囲内の任意の放出範囲に調整する調整部と
を備える、Ｘ線管装置。
【請求項２】
請求項１に記載のＸ線管装置において、
前記フィラメントが、第１〜第４の通電加熱用の脚部と、
前記第１の脚部および前記第２の脚部に電気的に接続された外側電子出射面と、
前記第３の脚部、前記第４の脚部および前記外側電子出射面に電気的に接続された内側電子出射面とを含み、
前記調整部が、前記外側電子出射面に、前記第１の脚部と前記第２の脚部との間に流れる電流を流し、前記内側電子出射面に、前記第１の脚部と前記第２の脚部との間に流れる電流と、前記第３の脚部と前記第４の脚部との間に流れる電流とを流し、前記第１の脚部と前記第２の脚部との間に流れる電流の電流値と、前記第３の脚部と前記第４の脚部との間に流れる電流の電流値との少なくとも１つを調整する、
Ｘ線管装置。
【請求項３】
請求項２に記載のＸ線管装置において、
前記内側電子出射面には、前記第１の脚部と前記第２の脚部との間に流れる電流と、前記第３の脚部と前記第４の脚部との間に流れる電流とが同一方向に流れる、Ｘ線管装置。
【請求項４】
複数の通電経路を有したフィラメントにおける電子の放出範囲を調整する調整方法であって、
前記複数の通電経路に流れる各電流の少なくとも１つの電流値を、前記フィラメントの電子の放出範囲が最大となる電流値と、前記フィラメントの電子の放出範囲が最小となる電流値とを含む範囲内の任意の電流値に調整することで、前記フィラメントの電子の放出範囲を、前記最大の放出範囲と前記最小の放出範囲とを含む範囲内の任意の放出範囲に調整する調整ステップを含む、フィラメントの調整方法。
【請求項５】
請求項４に記載のフィラメントの調整方法において、
前記フィラメントが、第１〜第４の通電加熱用の脚部と、
前記第１の脚部および前記第２の脚部に電気的に接続された外側電子出射面と、
前記第３の脚部、前記第４の脚部および前記外側電子出射面に電気的に接続された内側電子出射面とを含み、
前記調整ステップが、前記外側電子出射面に、前記第１の脚部と前記第２の脚部との間に流れる電流を流し、前記内側電子出射面に、前記第１の脚部と前記第２の脚部との間に流れる電流と、前記第３の脚部と前記第４の脚部との間に流れる電流とを流し、前記第１の脚部と前記第２の脚部との間に流れる電流の電流値と、前記第３の脚部と前記第４の脚部との間に流れる電流の電流値との少なくとも１つを調整する、
フィラメントの調整方法。
【手続補正２】
【補正対象書類名】明細書
【補正対象項目名】０００９
【補正方法】変更
【補正の内容】
【０００９】
Ｘ線管装置は、複数の通電経路を有するフィラメントと、前記複数の通電経路に流れる各電流の少なくとも１つの電流値を、前記フィラメントの電子の放出範囲が最大となる電流値と、前記フィラメントの電子の放出範囲が最小となる電流値とを含む範囲内の任意の電流値に調整することで、前記フィラメントの電子の放出範囲を、前記最大の放出範囲と前記最小の放出範囲とを含む範囲内の任意の放出範囲に調整する調整部とを備える。
【手続補正３】
【補正対象書類名】明細書
【補正対象項目名】００１０
【補正方法】変更
【補正の内容】
【００１０】
複数の通電経路に流れる各電流の少なくとも１つの電流値を、フィラメントの電子の放出範囲が最大となる電流値と、フィラメントの電子の放出範囲が最小となる電流値とを含む範囲内の任意の電流値に調整することで、フィラメントの一部分の領域の温度、他の領域の温度を適切に設定する。当該電流値と電子の放出範囲とは非線形の関係であるので、電流値を調整することで、フィラメントの電子の放出範囲を、最大の放出範囲と最小の放出範囲とを含む範囲内の任意の放出範囲に自在に調整することができ、全体を加熱した場合と部分的に加熱した場合とのそれぞれの焦点の間での任意の大きさの焦点を得ることができる。
【手続補正４】
【補正対象書類名】明細書
【補正対象項目名】００１４
【補正方法】変更
【補正の内容】
【００１４】
この発明に係るＸ線管装置およびフィラメントの調整方法によれば、複数の通電経路に流れる各電流の少なくとも１つの電流値を、フィラメントの電子の放出範囲が最大となる電流値と、フィラメントの電子の放出範囲が最小となる電流値とを含む範囲内の任意の電流値に調整することで、フィラメントの電子の放出範囲を、最大の放出範囲と最小の放出範囲とを含む範囲内の任意の放出範囲に自在に調整することができ、全体を加熱した場合と部分的に加熱した場合とのそれぞれの焦点の間での任意の大きさの焦点を得ることができる。
【手続補正５】
【補正対象書類名】図面
【補正対象項目名】図４
【補正方法】変更
【補正の内容】
【図４】
2015004732.tif 000010
【手続補正６】
【補正対象書類名】図面
【補正対象項目名】図７
【補正方法】変更
【補正の内容】
【図７】
2015004732.tif 000011
【国際調査報告】
2015004732.tif 000012
2015004732.tif 000013